(57)【要約】【課題】  従来の骨導スピーカでは難しかった人間個々の聴取能力に対応した特定周波数帯域での安定化及びインピーダンス、出力効率、出力歪みの最適化を容易に実現できる骨導スピーカユニットを提供することを課題としている。【解決手段】  本発明は、円形ヨーク１０の中央部に嵌合１２した円状マグネット６を設け、当該円状マグネットに一定の間隔を保持して、ボイスコイル８を配置した円形ヨークとし、当該円形ヨークから一定の間隔を保持して、筒形マグネット７を配置し、当該筒形マグネットを狭着１１又は接着１１固定する筒形スタビライザー１に振動板固定部１５を設け、振動板４の表面に振動子５の裏面を同一平面に位置するように接合１３した当該振動板との間に間隔維持部材２を挟み込んで固定することを特徴としている。【選択図】  図１
2005086795.tif 000002
【特許請求の範囲】
【請求項１】
円形ヨーク板の中央部に嵌合した円状マグネット設け、当該円状マグネットに一定の間隔を保持して、ボイスコイルを配置した円形ヨーク。当該円形ヨークから一定の間隔を保持して、筒形マグネットを配置し、当該筒形マグネットを狭着又は接着固定する筒形スタビライザーに振動板固定部を設け、振動板に振動子を接合した当該振動板を励磁力調整用の微細な間隔を維持するための間隔維持部材を挟み込んで固定して成る骨導スピーカユニット。
【請求項２】
前記筒形スタビライザー及び前記間隔維持部材は、非磁性体の金属部材、セラミックス、プラスチック等を使用した請求項１に記載の骨導スピーカユニット。
【請求項３】
前記振動板と前記筒形スタビライザーの前記振動板固定部の間に、励磁力調整用の微細な間隔を維持するための間隔維持部材を挟み込むことを特徴とした請求項１に記載の骨導スピーカユニット。
【請求項４】
前記円形ヨークに当接する側の前記振動板の表面に前記振動子の裏面を同一平面に位置する接合を特徴とした請求項１に記載の骨導スピーカユニット。
【発明の詳細な説明】
【発明の詳細な説明】
【技術分野】
【０００１】  本発明は骨導スピーカユニット、より詳しくは頭部に密着または、圧着させて、音信号の振動を頭蓋骨等から蝸牛へ直接的に伝達させることにより音声等を聴取する骨導スピーカユニットに関するものである。
【背景技術】
【０００２】  従来の骨導スピーカは、電気的信号を振動に変換し、この振動を聴覚器官の蝸牛へ直接的に伝える骨導音伝達として、多様に開発が行われ、実用化されている。【０００３】  健常者及び健聴者が音信号を聴取する場合の伝達経路は、気導音伝達が一般的であり、公知のスピーカが用いられ、周波数帯域の広帯域化が要求される。【０００４】  骨導スピーカの用途は、骨導音伝達のため、難聴者や騒音下でも音を認識することができる。逆に、周囲の騒音が激しい場所では耳栓を使用して聴覚器官を保護できる。【０００５】  しかし、人間個々は聴取感覚に差があるため、個々の特定周波数帯域に絞った骨導スピーカを開発することが難しいという問題がある。【０００６】  また、周波数帯域を広帯域化するため、インピーダンス、出力効率、出力歪みの最適化を容易に実現できないという問題がある。
【発明の開示】
【発明が解決しようする課題】
【０００７】  従来の骨導スピーカでは難しかった人間個々の聴取能力に対応した特定周波数帯域での安定化及びインピーダンス、出力効率、出力歪みの最適化を容易に実現できる骨導スピーカユニットを提供することを課題としている。
【課題を解決するための手段】
【０００８】  本発明は、円形ヨークの中央部に嵌合した円状マグネットを設け、当該円状マグネットに一定の間隔を保持して、ボイスコイルを配置した円形ヨークとし、当該円形ヨークから一定の間隔を保持して、筒形マグネットを配置し、当該筒形マグネットを狭着又は接着固定する筒形スタビライザーに振動板固定部を設け、振動板の表面に振動子の裏面を同一平面に位置するように接合した当該振動板との間に間隔維持部材を挟み込んで固定することを特徴としている。
【０００９】  本発明は、外形にとらわれない筒形スタビライザーの配置及び円形ヨークに当接する側の振動板の裏面と振動子の裏面を同一平面に位置するように接合することを特徴としている。
【００１０】  筒形スタビライザー及び振動板と筒形スタビライザーの振動板固定部の間に、励磁力調整用の微細な間隔を維持するため、間隔維持部材を挟み込むことを特徴としている。
【発明の効果】
【００１１】  本発明は、筒形スタビライザーを配置することで、特定周波数帯域の安定化と出力歪みを最適化できる。
【００１２】  また、筒形スタビライザーの配置と円形ヨークに当接する側の振動板の表面と振動子の裏面を同一平面に位置するように接合することで、特定周波数帯域の安定化と出力効率、出力歪みの最適化を容易に実現できる。
【００１３】  そして、振動板と筒形スタビライザーの振動板固定部の間に挟み込む間隔維持部材の厚みを変えることで、励磁力を容易に調整できる。
【００１４】  同心円状に配置された円状マグネット、ボイスコイル、ボイスコイル用線材、筒形マグネット、筒形スタビライザー、間隔維持部材、振動板、振動子の外形及び内径、長さ、材質、線径等を変更することにより、上記課題を解決した。
【発明を実地するための最良の形態】
【００１５】  本発明の実施の形態を添付図面に基づいて説明する。図１は本発明に係わる骨導スピーカユニットの断面図である。円形ヨーク１０の中央部に円状マグネット６を嵌合１２し、円状マグネット６の同一円周上に一定の間隔を保持したボイスコイル８、筒形マグネット７、筒形マグネット７を狭着１１又は接着１１固定する筒形スタビライザー１を配置し、筒形スタビライザー１へ振動板４の表面に振動子５の裏面を接合１３した当該振動板に間隔維持部材２を挟み込んで、ビス３で固定する構造になっている。
【００１６】  筒形スタビライザー１の外形は、円形又は、四角、多角形であってもよいが、筒形マグネット７を狭着１１又は接着１１固定できる必要がある。
【００１７】  円状マグネット６を嵌合１２した円形ヨーク１０の寸法は、筒形マグネット７の外径より少し小さめか、同一であって、ボイスコイル８の周波数特性、インピーダンス等の仕様により変わる。
【００１８】  筒形スタビライザー１と間隔維持部材２は、非磁性体部材を使用することにより、特定周波数帯域の安定化と励磁力の調整ができ、出力歪みを減少させることができる。
【００１９】  図２は、図１の直角方向の断面図であり、当該円形ヨークに当接する側の振動板４の表面と振動子５の裏面を同一平面に位置するように接合１３することで、ボイスコイル８で発生する振動が効率よく伝達され、周波数帯域の安定化と出力歪みを減少できる。
【００２０】  組立作業において、円形ヨーク１０に円状マグネット６を嵌合１２し、ボイスコイル８のリード線を円形ヨーク１０の小穴から引き出し、プリント基板９を円形ヨーク１０に接着１１し、プリント基板パターン１６に半田付け１７を行う。
【００２１】  筒形マグネット７を筒形スタビライザー１の表面より多少の隙間を維持して、狭着１１又は接着１１する。
【００２２】  振動板４の表面に振動子５の裏面を同一平面に位置するように接合１３する。
【００２３】  組立が完了した円形ヨークを筒形スタビライザーの筒形マグネット７下部に接着１１する。
【００２４】  組上げた筒形スタビライザーの振動板固定部１５に間隔維持部材２を挟み込み、振動子５が接合１３された当該振動板をビス３で固定する。
【００２５】  このように、本発明の骨導スピーカユニットは、組立作業工程の大幅な短縮を実現でき、強度的にも過酷な環境下での使用に耐えられる効果がある。
【実施例】
【００２６】  本発明の骨導スピーカユニットは、骨導スピーカヘッドホン、マイクと組合せた骨導ヘッドセット、水中用骨導スピーカ等に実施できる。
【図面の簡単な説明】
【００２７】
【図１】  本発明の骨導スピーカユニットを組み上げた状態を示す断面図である。
【００２８】
【図２】  本発明の骨導スピーカユニットの図１の直角方向の断面図である。
【００２９】
【図３】  本発明の骨導スピーカユニットを組み上げた状態の平面図である。
【００３０】
【図４】  本発明の骨導スピーカユニットの振動板及び振動子を取り除いた平面図である。
【００３１】
【図５】  本発明の骨導スピーカユニットを組み上げた状態の底面図である。
【００３２】
【図６】  本発明の骨導スピーカユニットのボイスコイル、リード線引出し用のプリント基板の平面図である。
【符号の説明】
【００３３】１    筒形スタビライザー
２    間隔維持部材
３    ビス
４    振動板
５    振動子
６    円状マグネット
７    筒形マグネット
８    ボイスコイル
９    プリント基板
１０  円形ヨーク
１１  接着部又は、狭着部
１２  嵌合部
１３  接合部
１４  取り付け用タップ
１５  振動板固定用タップ
１６  プリント基板パターン
１７  ボイスコイル半田面
１８  リード線引出し用半田面
【図１】
2005086795.tif 000003
【図２】
2005086795.tif 000004
【図３】
2005086795.tif 000005
【図４】
2005086795.tif 000006
【図５】
2005086795.tif 000007
【図６】
2005086795.tif 000008